(57)【要約】  バックフレームであって、２種類以上の異なる長さのバックフレームの各組立て構成を確定するために複数の相対位置（２４、３０；２８、２６）で係脱自在に組み合うように構成された第１の部分（１２）および第２の別個の部分（１４）を含み、それによってバックフレームは異なる身長の着用者のために調節可能である。組合いは、第１および第２の部分を概ね互いに近づくように第１の方向において相対的に移動させ、次いで第１の方向に対して概ね垂直な第２の方向において相対的に移動させることによって第１および第２の部分を脱離可能に相互係合させることを含む。
2018526078.tif 000002
【特許請求の範囲】
【請求項１】
バックフレームであって、
２種類以上の異なる長さの前記バックフレームの各組立て構成を確定するために複数の相対位置で係脱自在に組み合うように構成された第１の部分および第２の別個の部分を含み、それによって前記バックフレームは異なる身長の着用者のために調節可能であり、
前記組合いは、前記第１および第２の部分を概ね互いに近づくように第１の方向において相対的に移動させ、次いで前記第１の方向に対して概ね垂直な第２の方向において相対的に移動させることによって前記第１および第２の部分を脱離可能に相互係合させることを含む、
バックフレーム。
【請求項２】
前記第１および第２の部分の前記第２の方向における前記相対的な移動が、前記第１および第２の部分が互いに滑り合うことを含むように構成される、請求項１に記載のバックフレーム。
【請求項３】
前記第１および第２の部分の一方に１つまたは複数の第１の構造を含み、前記第１および第２の部分の他方に複数の第２の構造を含み、前記第１の部分と第２の部分が脱離可能に相互係合するとき、前記または各第１の構造は、前記バックフレームの前記各組立て構成を確定するために、それぞれの前記第２の構造と選択的に係合する、請求項１または２に記載のバックフレーム。
【請求項４】
前記第１および第２の構造が、前記第１および第２の部分を前記第２の方向とは反対の方向に相対的に移動させ、次いで前記第１の方向とは反対の方向に相対移動させることによって離脱される、請求項３に記載のバックフレーム。
【請求項５】
前記バックフレームの前記第１および第２の部分は、前記第１および第２の構造が離脱されると完全に分離可能である、請求項３または４に記載のバックフレーム。
【請求項６】
前記第１の構造が、突出するロック構造を含み、前記第２の構造が開口部を含み、前記第１および第２の部分が前記第１の方向において相対的に移動されるとき、前記突出するロック構造が、選択された対向する前記開口部に受け入れられる、請求項２〜５のいずれか一項に記載のバックフレーム。
【請求項７】
前記バックフレームの前記第１の部分が前記ロック構造を含み、前記バックフレームの前記第２の部分が前記複数の対向する開口部を含む、請求項６に記載のバックフレーム。
【請求項８】
前記バックフレームの前記第２の部分が前記ロック構造を含み、前記バックフレームの前記第１の部分がさらなる前記複数の開口部を含む、請求項７に記載のバックフレーム。
【請求項９】
前記または各ロック構造が、前記それぞれの対向する開口部の周壁に摺動係合してその中に脱離可能に押し込められる概ねＬ字形の突出部を含む、請求項６、７または８に記載のバックフレーム。
【請求項１０】
前記または各Ｌ字形突出部が、前記バックフレームの前記第１および第２の部分を前記第２の方向において互いに相対的に滑らせ合うことによって、前記それぞれの対向する開口部の前記周壁に摺動係合するように適合される、請求項９に記載のバックフレーム。
【請求項１１】
矩形の配列内に配置された４つの前記ロック構造がある、請求項６〜１０のいずれか一項に記載のバックフレーム。
【請求項１２】
前記第１および第２の部分がそれぞれ、一対の互いに間隔をおいて配置された概ね平行なサイドレールと、前記サイドレールを接合する１つまたは複数の間隔をおいて配置された交差構造とを含み、各サイドレールが、前記各サイドレールに沿って直線状の配列で配置された複数の前記開口を全体に有する、請求項１１に記載のバックフレーム。
【請求項１３】
前記１つまたは複数の間隔をおいて配置された交差構造の１つが、前記サイドレール間のある位置で前記交差構造とともに一体的に形成された腰部支持部材を有し、前記腰部支持部材は、前記サイドレールを含む任意選択的には湾曲した面に対して傾斜されるように前記１つの交差構造からさらなる支持なしに突出する、請求項１２に記載のバックフレーム。
【請求項１４】
前記第１および第２の部分の組合い係合からの離脱を可能にするために第１の動作において解除する必要がある解除可能なラッチ構造をさらに含む、請求項１〜１３のいずれか一項に記載のバックフレーム。
【請求項１５】
解除可能なラッチ構造をさらに含み、前記ラッチ構造は、前記第１および第２の部分の離脱を可能にするために第１の動作において解除する必要があり、前記ラッチ構造は、前記部分の一方に配置された１つまたは複数のさらなるロック構造を含み、前記さらなるロック構造は、他方の部分の複数の前記開口部内に受け入れ可能であり、前記第１の部分と第２の部分が相互係合されている場合において、前記開口部内にあるとき前記それぞれの開口部の周壁と当接し、それによって前記第１の部分と第２の部分との間の相対的な摺動を防止し、それによって前記第１の部分と第２の部分を組み合わせる、請求項３〜１３のいずれか一項に記載のバックフレーム。
【請求項１６】
前記または各さらなるロック構造は、前記第１の動作において弾性的に撓むように構成された各タブ上に設けられる、請求項１５に記載のバックフレーム。
【請求項１７】
前記バックフレームの各側部に一対の前記ラッチ構造を含む、請求項１４〜１６のいずれか一項に記載のバックフレーム。
【請求項１８】
前記第１および第２の部分が、着用者の背中の典型的な湾曲に従うかまたは近似するように湾曲している、請求項１〜１７のいずれか一項に記載のバックフレーム。
【請求項１９】
前記第１および第２の部分が、それぞれ一体の単一成形品である、請求項１〜１８のいずれか一項に記載のバックフレーム。
【請求項２０】
サイドレールを含む任意選択的に湾曲した面を画定する一対の間隔をおいて配置された概ね平行なサイドレールと、
前記サイドレールを接合する１つまたは複数の間隔をおいて配置された交差構造であって、前記１つまたは複数の間隔をおいて配置された交差構造の１つが、前記サイドレール間のある位置で前記交差構造と共に一体的に形成された腰部支持部材を有し、前記腰部支持部材は前記面に対して傾斜するように前記１つの交差構造からさらなる支持なしに突出する交差構造と
を含むバックフレームであって、
前記腰部支持部材および前記１つの交差構造は、前記バックフレームが着用されているときに前記腰部支持部材が着用者の背中の腰部領域に接触するように寸法決めされ、および前記腰部支持部材が前記接触の間に弾性的に撓むことができるように構成される、
バックフレーム。
【請求項２１】
前記腰部支持部材が概ね逆Ｕ字形であり、前記バックフレームが正しい向きで着用されるとき、前記１つの交差構造から直立している、請求項２０に記載のバックフレーム。
【発明の詳細な説明】
【技術分野】
【０００１】
本発明は、バックパック、リュックサック等に取り付けるのに適したバックフレームに関する。
【背景技術】
【０００２】
外側バックフレーム（パックフレームまたはバックパックフレームとしても知られている）は、着用者が重い荷物を背中に乗せて運ぶ必要があるときに、一般的に利用される。一例では、外側バックフレームは軍人または戦闘員によって着用される。このような外側バックフレームは、フレームレスバックパックまたは内側バックフレームを含むバックパックと比較して、より優れた支持、重量分散、および着用者保護を提供する。
【０００３】
米国特許第７，７９３，８０９号明細書は、軍事用途に特に適した外側バックフレームを記載している。このバックフレームは、ほぼ平行な頂部および基部交差構造によって接合された、間隔を置いて配置されたほぼ平行な一対の垂直サイドレールを有するワンピースユニットを含む。このバックフレームは、特定の高さの着用者に適したサイズおよび寸法にされる。
【０００４】
本発明の目的は、従来のバックフレームの１つまたは複数の欠点を克服するか少なくとも改善する、あるいは有用な代替物を少なくとも提供するバックフレームを提供することである。
【０００５】
本明細書中の先行技術への言及は、この先行技術がいずれかの法域において共通の一般知識の一部を形成しているという承認でも提言でもなく、またこの先行技術が、理解され、関連性があると見なされ、および／または当業者によって他の従来技術部品と組み合されると合理的に期待され得るという承認でも提言でもない。
【発明の概要】
【課題を解決するための手段】
【０００６】
第１の態様において、本発明は、２種類以上の異なる長さのバックフレームの各組立て構成を確定するために、複数の相対位置で係脱自在に組み合うように構成された第１の部分および第２の別個の部分を含むバックフレームを提供し、それによってバックフレームは異なる身長の着用者のために調節可能である。組合いは、第１および第２の部分を概ね互いに近づくように第１の方向において相対的に移動させ、次いで第１の方向に対して概ね垂直な第２の方向において相対的に移動させることによって第１および第２の部分を脱離可能に相互係合させることを含む。
【０００７】
第１および第２の部分の第２の方向における相対的な移動は、第１および第２の部分が互いに滑り合うことを含む。
【０００８】
ある実施形態において、バックフレームは、第１および第２の部分の一方に１つまたは複数の第１の構造を含み、第１および第２の部分の他方に複数の第２の構造を含み、第１の部分と第２の部分が脱離可能に相互係合するとき、１つのまたは各第１の構造は、バックフレームの各組立て構成を確定するために、それぞれの第２の構造と選択的に係合する。
【０００９】
第１および第２の構造は、第１および第２の部分を第２の方向とは反対の方向に相対的に移動させ、次いで第１の方向とは反対の方向に相対移動させることによって、離脱させることができる。バックフレームの第１および第２の部分は、第１および第２の構造が離脱されると完全に分離可能であってもよい。
【００１０】
第１の構造は、突出するロック構造を含んでもよく、第２の構造は開口部を含んでもよく、第１および第２の部分が第１の方向に相対的に移動されるとき、突出するロック構造が、選択された対向する開口部に受け入れられる。開口部は、概ね長方形または菱形の形状であってよく、好ましくはロック構造を受け入れるように寸法決めされる。
【００１１】
バックフレームの第１の部分はロック構造を含み、バックフレームの第２の部分は複数の対向する開口部を含む。さらに、バックフレームの第２の部分がロック構造を含んでもよく、バックフレームの第１の部分がさらなる複数の開口部を含んでもよい。
【００１２】
ある実施形態において、１つのまたは各ロック構造は、それぞれの対向する開口部の周壁に摺動係合してその中に脱離可能に押し込められる概ねＬ字形の突出部を含む。１つのまたは各Ｌ字形突出部は、バックフレームの第１および第２の部分を第２の方向において互いに相対的に滑らせ合うことによって、それぞれの対向する開口部の周壁に摺動係合するように適合されてもよい。
【００１３】
好ましくは、矩形の配列内に配置された４つのロック構造があり、これは各組立て構成における剛性にとって有利である。
【００１４】
第１および第２の部分はそれぞれ、一対の互いに間隔をおいて配置された概ね平行なサイドレールと、サイドレールを接合する１つまたは複数の間隔を置いて配置された交差構造とを含んでもよく、各サイドレールは、各サイドレールに沿って直線状の配列で配置された複数の前述の開口を全体に有する。
【００１５】
第１および第２の部分は好ましくは、サイドレールに平行な垂直中心線の周りで実質的に対称である。
【００１６】
ある実施形態において、１つまたは複数の間隔をおいて配置された交差構造の１つは、サイドレール間のある位置で交差構造とともに形成された腰部支持部材を有し、腰部支持部材は、サイドレールを含む任意選択的には湾曲した面に対して傾斜されるように１つの交差構造からさらなる支持なしに突出する。
【００１７】
バックフレームは、解除可能なラッチ構造をさらに備えてもよく、ラッチ構造は、第１および第２の部分を組合い係合から離脱させることを可能にするために第１の動作において例えば手で解除することができる。ラッチ構造は、フレーム部分の一方に配置された１つまたは複数のさらなるロック突出部を備えてもよく、さらなるロック突出部は、他方の部分の複数の前記開口部内に受け入れ可能であり、第１の部分と第２の部分が相互係合されている場合において、開口部内にあるときそれぞれの開口部の周壁と当接し、それによって第１の部分と第２の部分との間の相対的な摺動を防止し、それによって第１の部分と第２の部分を組み合わせる。
【００１８】
ある実施形態において、１つのまたは各さらなるロック構造は、前記第１の動作において、例えば指の圧力によって弾性的に撓むように構成された各タブ上に設けられる。
【００１９】
バックフレームの各側部に一対のラッチ構造があってもよい。
【００２０】
腰部支持部材および１つの交差構造は、バックフレームが着用されているときに腰部支持部材が着用者の背中の腰部領域と接触するように寸法決めされ、好ましくは、腰部支持部材がそのような接触の間に弾性的に撓むことができるように構成される。
【００２１】
好ましい実施形態において、第１および第２の部分は、着用者の背中の典型的な湾曲に従うかまたは近似するように湾曲している。
【００２２】
好ましい実施形態において、第１の部分および／または第２の部分は、バックフレームをバックパック、リュックサックなどに着脱可能に取り付けることができるように、１つまたは複数の第１のアタッチメント点を含む。好ましくは、第１の部分および／または第２の部分は、臀部、ウエスト、またはショルダーストラップなどのストラップを受け入れるように寸法決めされた１つまたは複数の第２のアタッチメント点をさらに含む。
【００２３】
好ましくは、第１および第２の部分は、バックフレームがその長さを１５０ｍｍまで、例えば１２０ｍｍまで変化するように調節可能であるように寸法決めされる。
【００２４】
好ましくは、第１および第２部分は、それぞれ一体の単一成形品である。
【００２５】
第２の態様において、本発明は、
サイドレールを含む任意選択的に湾曲した面を画定する一対の間隔を置いて配置された概ね平行なサイドレールと、
サイドレールを接合する１つまたは複数の間隔をおいて配置された交差構造であって、前記１つの交差構造は、サイドレール間のある位置で交差構造と共に一体的に形成された腰部支持部材を有し、腰部支持部材は前記面に対して傾斜するように１つの交差構造からさらなる支持なしに突出する交差構造と
を含むバックフレームであって、
腰部支持部材および１つの交差構造は、バックフレームが着用されているときに腰部支持部材が着用者の背中の腰部領域に接触するように寸法決めされ、および腰部支持部材が前記接触の間に弾性的に撓むことができるように構成される
バックフレームを提供する。
【００２６】
好ましくは、腰部支持部材は、概ね逆Ｕ字形である。
【００２７】
好ましくは、腰部支持部材は、バックパックが正しい向きで着用されるとき、前記１つの交差構造から直立している。
【００２８】
本明細書で使用される場合、文脈が別に定める場合を除いて、「含む（ｃｏｍｐｒｉｓｅ）」という用語、および「含む（ｃｏｍｐｒｉｓｉｎｇ）」、「含む（ｃｏｍｐｒｉｓｅｓ）」および「含まれる（ｃｏｍｐｒｉｓｅｄ）」など、その用語の変形は、さらなる追加物も成分も整数もステップも排除しないつもりである。
【００２９】
本発明のさらなる態様および先行する段落で説明した態様のさらなる実施形態は、例として与えられ添付の図面を参照する以下の説明から明らかになるであろう。
【図面の簡単な説明】
【００３０】
【図１】本発明の一実施形態によるバックフレームの正面斜視図である。
【図２Ａ】ベースフレームを構成する図１のバックフレームの第１の下側部分の正面図である。
【図２Ｂ】トップフレームを構成する図１のバックフレームの第２の別個の上側部分の正面図である。
【図３Ａ】完全に離脱された、すなわち分解された構成にある図１のバックフレームの第１および第２の別個の部分の、正面より見た立面図および線Ａ−Ａの部分断面図である。
【図３Ｂ】図３Ａに似た図を含むが、バックフレーム部分は部分的に係合された構成または部分的に組み立てられた構成にある。
【図３Ｃ】図３Ａに似た図を含むが、バックフレーム部分は完全に係合されたまたは組み立てられた構成にある。
【図４】図１のバックフレームの近接した部分斜視図であり、この図はラッチ機構を含んでいる。
【発明を実施するための形態】
【００３１】
図中、「正面図」は、バックフレームの正面側（または第１および第２の別個の部分の正面側）を示している。使用時、正面側は着用者の背中に面する。本明細書で言及する場合、「背面図」は、バックフレームの背面側（または第１および第２の別個の部分の背面側）である。使用時、背面側は、バックフレームによって担持されるバックパックまたは他のアイテムに面する。
【００３２】
図１を参照すると、略矩形のベースフレーム１２の形態の第１の部分と、略矩形のトップフレーム１４の形態の第２の別個の部分とを含むバックパックなどのためのバックフレーム１０が示されている。ベースフレーム１２およびトップフレーム１４は、横方向および縦方向に湾曲しているか、または全体的に凹型であり、着用者の背中の典型的な湾曲に従うまたは近似するようになっている。ベースフレーム１２およびトップフレーム１４は、２つ以上の異なる長さ（第１の長さが図１に示されている）のバックフレーム１０の各組立て構成を確定するために、複数の相対位置で係脱自在に組み合う。このようにして、以下でさらに詳細に説明するように、バックフレーム１０は、異なる身長の着用者に対して調節可能である。
【００３３】
ベースフレーム１２およびトップフレーム１４はそれぞれ、概ね横方向に伸びる交差構造２０、２２によって接合された、それぞれ間隔をおいて配置された概ね平行な一対の垂直サイドレール１６、１８を含む。図に示すように、ベースフレーム１２およびトップフレーム１４は、各フレームを通って伸びる垂直中心線の周りでそれぞれ対称である。ベースフレーム１２およびトップフレーム１４のそれぞれは、適切な高強度プラスチック材料、例えばポリカーボネートの一体の単一成形品である。フレームは好ましくは剛性であるが、所定の荷重の下である程度のたわみを示すことがある。
【００３４】
ベースフレーム１２およびトップフレーム１４は、各フレームに配置された相補的なロック構造および開口によって係脱自在に組み合う。
【００３５】
ベースフレーム１２のサイドレール１６の上端部から概ね前方に突出するのは、概ね逆Ｌ字形の突出部２４を含む突出したロック構造の形態の一対の第１の構造である（図２Ａ参照）。突出部２４は、断面で見ると概ね逆Ｌ字型であり、正面から見ると概ね矩形である。バックフレーム１０の組み立てられた構成（図１参照）では、ベースフレーム１２のＬ字形ロック突出部２４の第１の対は、トップフレーム１４のサイドレール１８内の概ね矩形または菱形の開口部３０の形態の複数の第２の構造の各対の中に脱離可能に受け入れられる。各サイドレール１８は、等間隔に配置された開口部３０の直線状の配列を有する。
【００３６】
同様に、トップフレーム１４の各サイドレール１８の下端部から概ね後方に突出するのは、突出部２４と同様の形態のロック構造２８の第２の対である（図２Ｂ参照）。組み立てられた構成では、トップフレーム１４のＬ字形ロック突出部２８の第２の対は、ベースフレーム１２の各サイドレール１６に沿って等間隔に離間して配置された複数の同様に垂直に配列された概ね矩形または菱形の開口部２６（図２Ａ参照）の各対に脱離可能に受け入れられる。図２Ａおよび図２Ｂに示すように、Ｌ字形突出部２４の第１の対は、Ｌ字形突出部２８の第２の対とは反対方向に突出しているので、Ｌ字形突出部２４、２８は、以下に説明するように、組み立てられた構成において、各対向開口部内に脱離可能に食い込む。
【００３７】
有利には、Ｌ字形ロック突出部２４、２８の第１および第２の対が、それぞれの対向する開口部３０、２６と相互係合すると、ベースフレーム１２およびトップフレーム１４は、４つの位置すべてでしっかりと組み合わされる。ベースフレーム１２およびトップフレーム１４は、ベースフレーム１２およびトップフレーム１４の対向するサイドレール１６、１８上にそれぞれ４つのＬ字型ロック突出部２４、２８を配置することにより、特に強固に組み合わされる。
【００３８】
組み立てられたバックフレーム１０を形成するベースフレーム１２とトップフレーム１４との間の相互係合を、図３Ａ〜図３Ｃを参照して説明する。図３Ａは、近接しているが、完全に離脱されたまたは分解された構成で重なり合っているベースフレーム１２およびトップフレーム１４を示す。図３Ａの断面図に特に見ることができるように、ベースフレーム１２（斜線で示す）の第１のＬ字形ロック突出部２４は、トップフレーム１４（斜交平行線で示す）の対向する開口部３０に隣接して配置されているが、そこから外されている。同様に、トップフレーム１４の第２のＬ字形ロック突出部２８は、ベースフレーム１２の対向する開口部２６に隣接して配置されているが、そこから外されている。この位置では、トップフレーム１２とベースフレーム１４は完全に離脱されている、すなわち分離されているが、図３Ａの矢印１０２で示すように、各フレーム１２、１４を全体的に内向きに（すなわち近づけるように）押すことによって部分的に係合することができる。
【００３９】
ここで特に図３Ｂに示す断面図を参照すると、ベースフレーム１２の第１のＬ字形ロック突出部２４はこの時、トップフレーム１４の対向する開口部３０内に受け入れられている、または配置されている。同様に、トップフレーム１４の第２のＬ字形ロック突出部２６はこの時、ベースフレーム１２の対向する開口部２８内に受け入れられている。この位置で、トップフレーム１２およびベースフレーム１４は部分的に係合されるかまたは部分的に組み立てられるが、各フレーム１２、１４を（図３Ｂの垂直矢印１０４によって示されるように）サイドレール１６、１８に平行な概ね反対の方向に滑らせることによって完全に係合されるか完全に組み立てられてもよい。
【００４０】
ここで特に図３Ｃに示す断面図を参照すると、ベースフレーム１２の第１のＬ字形ロック突出部２４は、トップフレーム１４の対向する開口部３０の直交周壁３０ａに摺動係合している。同様に、トップフレーム１４の第２のＬ字形ロック突出部２８は、ベースフレーム１２の対向する開口部２６の直交周壁２６ａと摺動係合している。このようにして、Ｌ字形突出部２４、２８は、対向する開口３０、２６内に（またはその周壁３０ａ、２６ａに対して）脱離可能に押し込められる。ベースフレーム１２およびトップフレーム１４はこの時完全に相互係合され、バックフレーム１０はこの時複数の相対位置のうちの１つで完全に組み立てられる。
【００４１】
ベースフレーム１２およびトップフレーム１４は、この位置において、後方または前方から見てこの組立体の反対側に対称的に配置された一対の類似のラッチ１００を含むラッチ装置によって、係脱自在に組み合う。各ラッチ１００は、傾斜した細長い平面タブ５０を含み、平面タブ５０は、タブがその内側の垂直縁部５１（図２Ａ）で取り付けられたままであるようにベースフレーム１２の各レール１６の拡大された上端部１７内から切り取られたものであり、それによりタブはこの縁部でヒンジ接続され、端部１７と同一平面のその静止位置から弾性的に撓むことができる。ヒンジ縁部に近いタブ５０の内側端部は、一体型のＬ字形の内側ランドまたは突出部４０を有し、それは、ベースおよびトップフレームが上に記載したように完全に相互係合され組み立てられた状態にある場合、トップフレーム１４のレール１８の開口部３０の２つの縁部と係合する。こうすることでＬ字形のランドまたは突出部４０は、突出部２４、２８と開口部２６、３０との間の係合を解除する可能性のあるレール対の意図せぬ相対的な滑りを防止することによって、レール対を、したがってフレームを相互にロックする。このような意図しない離脱は、特に苛酷な条件において重い荷を有する場合、現場での危険要因である。
【００４２】
図４の矢印「押す」の方向にタブ５０の自由端５２を弾性的に押すことにより、ランドまたは突出部４０を開口部３０からアンラッチすることができる。これは、バックフレームの長さを調整するためにベースおよびトップフレームを離脱するのに必要な３つの動作運動のうちの第１のステップである。
【００４３】
その後、ベースフレーム１２およびトップフレーム１４は、図３Ｂに示す部分的に係合した位置に戻るように、縦方向におよびサイドレール１６、１８と平行に滑ることができる。この位置で、ベースフレーム１２およびトップフレーム１４は、各フレームを全体的に互いに（または少なくとも一方のフレームを他方から）引き離すことによって分離することができる。ベースフレーム１２およびトップフレーム１４はこの時、図３Ａに示す完全に離脱された位置に戻る。
【００４４】
それぞれの対向する開口部３０、２８内のＬ字形ロック突出部２４、２８の位置がバックフレーム１０の全体長さ（または高さ）を確定することが理解されるであろう。例えば、ベースフレーム１２のＬ字型ロック突出部２４がトップフレーム１４の最も下の対向する開口部３０内に配置された場合、バックフレーム１０は、その最大長さになる。しかしながら、ベースフレーム１２のＬ字形ロック突出部２４がトップフレーム１４の最も上の対向する開口部３０内に配置された場合、バックフレーム１０は最小長さになる。バックフレーム１０は、その最大長さと最小長さの差、すなわちバックフレームが調整可能な範囲が１２０ｍｍであり、５つの３０ｍｍ増分で表されるように設計されている。一般に、この差、すなわち調整範囲は、最大１５０ｍｍであり得る。オーストラリアの人口の場合、１パーセンタイルの女性から９９パーセンタイルの男性までの背中の長さの変化は１５３ｍｍである。１２０ｍｍの調整範囲は、人口群のこの９８％をカバーするのに許容できると考えられる。
【００４５】
図示されたバックフレーム１０の他の特徴についてここで説明する。特に図１および図２Ａを参照すると、ベースフレーム１２は、横方向に伸びる最下部の交差構造２０と一体的に形成された概ね逆Ｕ字形の腰部支持部材６０を含む。Ｕ字形腰部支持部材６０は、サイドレール１６を含む面に対して傾斜されるようにさらなる支持なしに最下部の交差構造２０から突出する。Ｕ字形腰部支持部材６０および最下部の交差構造２０は、バックフレーム１０が着用されたとき（不図示）、腰部支持部材６０が着用者の背中の腰部領域に接触するように寸法決めされている。有利には、Ｕ字形腰部支持部材６０は、そのような接触中に弾性的に撓むことができるような弾性のヒンジ作用を呈し、それにより、着用者の背中の腰部領域に応答性のある支持を提供する。バックフレーム１０は、弾性変形可能な、適切なポリカーボネートなどの成形材料を含む。
【００４６】
ベースフレーム１２およびトップフレーム１４はさらに、各フレームの側部および端部構造または翼状部７１に配置された複数の概ね細長いピル形状のアタッチメントスロット７０を含む。図２Ａに示すように、ベースフレーム１２は、（バックフレーム１０が着用されたとき）着用者の臀部の周りに配置される対称的に配置された細長いアタッチメントスロット７０を含む。同様に、トップフレーム１４は、（バックフレームが着用されたとき）着用者の肩の上側および側方領域の周りに配置される対称的に配置されたアタッチメントスロット７０を含む。アタッチメントスロット７０は、バックフレーム１０を適切なバックパック、リュックサックまたは同様のもの（図示せず）に着脱可能に取り付けるために利用される。アタッチメントスロット７０はまた、臀部、ウエスト、またはショルダーストラップ（図示せず）などの１つまたは複数のストラップまたはベルトを着脱可能に受け入れるために利用される。勿論、スロット７０の、および側部および端部構造または翼状部７１の構造、形状および数は、バックフレームの意図された用途に応じて変化してもよい。
【００４７】
本明細書で開示され定義された本発明は、記載されているか本文または図面から明らかである個々の特徴の２つ以上のすべての代替的な組み合わせに及ぶことが理解される。これらの異なる組合せの全ては、本発明の様々な代替の態様を構成する。
【図１】
2018526078.tif 000003
【図２Ａ】
2018526078.tif 000004
【図２Ｂ】
2018526078.tif 000005
【図３Ａ】
2018526078.tif 000006
【図３Ｂ】
2018526078.tif 000007
【図３Ｃ】
2018526078.tif 000008
【図４】
2018526078.tif 000009
【国際調査報告】
2018526078.tif 000010
2018526078.tif 000011
2018526078.tif 000012
2018526078.tif 000013
2018526078.tif 000014